(57)【特許請求の範囲】
【請求項１】
天井若しくは壁面に開閉可能に配置される照明カバーと、互いに係止、離脱可能な第一係止具（８）と第二係止具（９）を備え、前記第一係止具と第二係止具の一方を前記天井若しくは壁面に取り付け、他方を前記照明カバーに取り付け、該照明カバーを閉位置にロックするプッシュロック装置を備えた照明装置であって、
前記プッシュロック装置の前記第一係止具（８）は、矩形状の大きい開口（１２）とその奥に互いに間隔を開けて形成された一対の係合穴（１３、１３）を有する第一係止具本体（１１）と、その第一係止具本体の、前記一対の係合穴（１３、１３）の中央を支点として前記開口（１２）内で揺動可能に保持された係止ピン（１５）であって、先端を該係止ピンが揺動する面に直角にＬ字状に曲げて係止爪（１５ａ）とした係止ピン（１５）と、該係止ピンを係止爪の先端方向に付勢する弾性部材（１６）を備えており、
前記第二係止具（９）は、前記第一係止具（８）の前記開口（１２）及び前記一対の係合穴（１３、１３）に挿入可能な一対の係合突起（２０、２０）とその一対の係合突起の間に延びる側壁（２１）と、その側壁の内面に形成され、前記係止爪を案内するハート形状のカム溝（２３）を有する第二係止具本体（１８）を備えており、前記カム溝（２３）が、ハート形の凹部に前記係止爪を引っかけて係止できるよう前記凹部を奥に向けて配置されており、更に、前記カム溝（２３）が、前記一対の係合突起の間を通って進入する前記係止爪をハート形の一方の側方に案内する入側溝部（２３ａ）と、その入側溝部の端部からハート形の凹部中央に向かうよう折り返す肩部第一溝部（２３ｂ）と、ハート形の凹部中央の係止用溝部（２３ｃ）と、その係止用溝部（２３ｃ）からハート形の他方の側方に向かう肩部第二溝部（２３ｄ）と、その肩部第二溝部（２３ｄ）の端部からハート形の側方を通ってハート形の先端に向かい、ハート形の先端領域から外に抜けるように開いた出側溝部（２３ｅ）を備えると共に、入側溝部（２３ａ）と肩部第一溝部（２３ｂ）の境界の底面、肩部第一溝部（２３ｂ）と係止用溝部（２３ｃ）の境界の底面、肩部第二溝部（２３ｄ）と出側溝部（２３ｅ）の境界の底面、及び出側溝部（２３ｅ）と入側溝部（２３ａ）の境界の底面にそれぞれ、前記カム溝（２３）にハート形の先端部から進入した前記係止爪が、前記入側溝部（２３ａ）、肩部第一溝部（２３ｂ）、係止用溝部（２３ｃ）、肩部第二溝部（２３ｄ）、出側溝部（２３ｅ）を経て前記入側溝部（２３ａ）に向かうように一方向に進行することを許容するが、逆方向への進行は阻止するように、段差を形成しており、更に前記入側溝部（２３ａ）は、一方の係合突起（２０）から前記肩部第一溝部（２３ｂ）に向かってほぼ直線状に延びる第一案内面（２３ａａ）と他方の係合突起（２０）からハート形の側方を通って前記肩部第一溝部（２３ｂ）に向かって延びる第二案内面（２３ａｂ）で画定され、溝幅が入り側で広く、前記肩部第一溝部（２３ｂ）に向かうにつれて徐々に小さくなっていることを特徴とする、プッシュロック装置を備えた照明装置。
【請求項２】
前記係合突起及び係合穴を、先端が細くなる形状としたことを特徴とする請求項１記載のプッシュロック装置を備えた照明装置。
【発明の詳細な説明】
【０００１】
【発明の属する技術分野】
本発明は、例えば、天井や壁面に開閉可能に配置した照明カバーを閉位置に固定即ちロックするために用いるロック装置を備えた照明装置に関し、特に、一方向へ押す操作でロックを解除できる構成のプッシュロック装置を備えた照明装置に関する。
【０００２】
【従来の技術】
従来より、ギャラリー等において天井や壁面を全体的に柔らかく発光する面照明にすることが望まれており、そのために、天井や壁面に取り付けた多数の蛍光灯を、光拡散性のシートを張った複数の照明カバーで覆った照明装置が知られている。通常、照明カバーは矩形状であり、天井や壁面の広い範囲に一様な面照明を形成することができるよう、多数の照明カバーが互いに近接した状態で配置されている。また、各照明カバーは、蛍光灯の取り替え等のために開閉する必要があり、そのため、一端を天井や壁面に対して旋回可能な形態で取り付け、他端を天井や壁面に対して、ロック装置によって解除可能な形態でロックしていた。ここで用いるロック装置は、回転レバー式のもので、天井や壁面と照明カバーの一方にピンを固定し、他方に回転レバーを取り付け、該回転レバーに形成しているラッチをピンに引っかけることでロックし、回転レバーを回転させてラッチをピンから外すことでロックを解除する構成となっていた。
【０００３】
【発明が解決しようとする課題】
しかし、かかるロック装置では、照明カバーを開く際に、回転レバーを手作業で旋回させる必要があるが、この回転レバーは、照明面の意匠性を上げるために、照明カバーの奥に配置しており、このため、隣接した照明カバー間の狭い隙間から適当な治具を差し込んで手さぐりで回転レバーを探し、操作する必要があり、きわめて困難な作業となっていた。特に、天井面に配置した場合には脚立等の上に乗って上向きの不安定な姿勢で作業しなければならず、一層作業が困難であった。
【０００４】
そこで、単に押し込む操作によってロックを解除できる構成のプッシュロック装置を用いることが望まれていた。この種のプッシュロック装置の１例が特公平３−３７９２号公報に記載されている。この公報に記載の天井点検口扉等の開閉装置は、天井側に水平に移動可能に保持され、ばねによって前進方向に付勢された爪板と、開閉板側に固定されたフックとを備え、そのフックを爪板に引っかけることでロック状態（閉状態）に保ち、ロックを解除するには、開閉板を更に押し込むことでフックに形成しているカム面で爪板を横方向に退避させ、爪板の後ろに配置している揺動爪を爪板に係止させて爪板を退避位置に保持させ、その状態で開閉板を開き、その途中で開閉板側に設けている作動部材で揺動爪を爪板から離して次のロック動作に備える構成である。この構成のロック装置を照明カバーに用いることが考えられるが、このロック装置は、爪板、揺動爪、作動部材がいずれも往復動或いは旋回可能な構成で且つそれぞればねによって付勢された構造となっており、可動部品及びばねの個数が多く、コスト高となるという問題があった。また、家具の扉等の開閉ロック装置にも、プッシュロック方式のものが広く使用されており（例えば、特開平１０−２２００９１号公報参照）、これを照明カバーに使用することが考えられる。しかしながら、家具の扉などに用いられる開閉ロック装置は、扉に先端に係合体を備えたロッドを固定し、家具本体側には、その係合体をはさんで固定する一対の爪と、その一対の爪を前進して開いた位置と、後退して閉じた位置に移動させる機構を設けるという構成となっており、使用部品点数が多くてコスト高となるのみならず、照明カバーのように重量のあるものに使うには強度が不足するという問題があった。
【０００５】
本発明はかかる従来の問題点に鑑みてなされたもので、照明カバーのような重量のあるものに対しても支障なく使用できる構造簡単なプッシュロック方式のロック装置を備えた照明装置を提供することを目的とする。
【０００６】
【課題を解決するための手段】
本発明の照明装置に用いるプッシュロック装置は、互いに係止しようとする二つの部材の一方（例えば、天井、壁面など）に取り付ける第一係止具と、他方（例えば、照明カバーなど）に取り付ける第二係止具とを備え、その第一係止具を、第一係止具本体と、その第一係止具本体に揺動可能に保持され、先端をＬ字状に曲げて係止爪とした係止ピンと、該係止ピンを係止爪の先端方向に付勢する弾性部材を備えた構成とし、前記第二係止具を、第二係止具本体と、その第二係止具本体に設けられ、前記係止爪を案内するハート形状のカム溝を備え、そのカム溝を、ハート形の凹部に係止爪を引っかけて係止できるよう前記凹部を奥に向けて配置されると共に該カム溝の屈曲部分の底面のそれぞれに、ハート形の先端部から進入した前記係止爪が一方向に進行することを許容するが、逆方向への進行は阻止する段差を設けるという構成としたものである。この構成により、第一係止具と第二係止具の一方を他方に対して押し込んでゆくと、第一係止具の係止ピン先端の係止爪が、第二係止具のハート形状のカム溝の先端部からハート形の一方の側方に沿って移動し、ハート形の凹部に進入する。これにより、第一係止具と第二係止具とが係止状態となる。次に、第一係止具と第二係止具の一方を他方に対して更に押し込むと、ハート形の凹部に位置していた第一係止具の係止爪が、進入してきた側とは反対方向にカム溝に沿って移動し、ハート形の側方に出るので、その後は第一係止具と第二係止具を互い離す方向に移動させることで、係止爪がハート形の側方のカム溝を通り抜けてカム溝から離れ、これによって、第一係止具と第二係止具の係止を解除できる。このように、第一係止具と第二係止具の一方を他方に対して押し込んで行くことで、両者を係止でき、また、更に押し込み次いで引き離すことで両者を離脱させることができる。
【０００７】
【発明の実施の形態】
以下、図面を参照して本発明の実施の形態を説明する。図５（ａ）、（ｂ）は天井に配置した照明装置を概略的に示すもので、１は天井に設けている取付枠、２は天井に配置した多数の蛍光灯、３はその蛍光灯を覆うように配置された照明カバーである。この照明カバー３は矩形状の枠体に光拡散性のシート、板材等を取り付けたものであり、天井面に沿って多数の照明カバーが互いに隣接して配置され、広い面積の面照明を形成している。各照明カバー３は開閉可能なように、その一端がブラケット４の支点軸５に旋回可能に保持されている。そして、その他端を取付枠１に対して離脱可能な形態でロックするため、本発明の実施の形態に係るプッシュロック装置７が設けられている。プッシュロック装置７は、天井側の取付枠１に取り付けられた第一係止具８と、照明カバー３に取り付けられた第二係止具９を備えている。なお、第一係止具８を照明カバー３に取り付け、第二係止具９を取付枠１に取り付けるように、変更しても差し支えない。
【０００８】
次に、図１〜図４を参照して第一係止具８及び第二係止具９を詳細に説明する。図１は第一係止具８と第二係止具９を離した状態で示すもので、（ａ）は第一係止具８は概略断面で、第二係止具９はカバーを取り外した状態で概略正面を示す図、（ｂ）、（ｃ）はそれぞれ（ａ）のＡ−Ａ矢視概略断面図、Ｂ−Ｂ矢視概略断面図、図２（ａ）は第一係止具８と第二係止具９を、係止させる途中の状態で且つ第一係止具８は概略断面で、第二係止具９はカバーを取り外した状態で概略正面を示す図、図２（ｂ）は図２（ａ）のＣ−Ｃ矢視概略断面図、図２（ｃ）は第一係止具８と第二係止具９を、係止状態で且つ第一係止具８は概略断面で、第二係止具９はカバーを取り外した状態で概略正面を示す図、図２（ｄ）は図２（ｃ）のＤ−Ｄ矢視概略断面図、図３（ａ）、（ｂ）、（ｃ）はそれぞれ第一係止具８の概略正面図、概略端面図、概略下面図、図４（ａ）、（ｂ）、（ｃ）はそれぞれ第二係止具９の概略上面図、概略正面図、概略端面図である。第一係止具８は、取付枠１等に取り付けるための第一係止具本体１１を備えている。この第一係止具本体１１は、取り付け用のフランジ部１１ａと、そのフランジ部１１ａから直角方向に延びる直立部分１１ｂを備え、その直立部分１１ｂの内側に、矩形状の大きい開口１２と、その奥の一対の係合穴１３、１３を形成している。係合穴１３は先端側（フランジ部１１ａ側）が細くなるような形状に形成されている。一対の係合穴１３、１３の中央には係止ピン１５が、図１に矢印Ｅ−Ｅで示す方向に揺動可能に保持されている。この係止ピン１５は開口１２を通って延び出すように配置されており、その先端を、揺動方向に対して直角方向にＬ字状に曲げて係止爪１５ａとしている。更に、第一係止具本体１１には、係止ピン１５を係止爪１５ａの先端方向に即ち矢印Ｆ方向に付勢する弾性部材（本実施の形態では板ばね）１６が設けられている。第一係止具本体１１は、アルミ合金等の強度の大きい材料で作られる。係止ピン１５は、先端のＬ字状に曲げた係止爪１５ａを後述する係止用溝部２３ｃに引っかけることで第一係止具８と第二係止具９を係止させるためのものであり、必要な係止強度を確保できるよう、鋼等の強度の大きい材料で、且つ所望の強度が得られる太さに作られる。例えば、係止ピン１５を直径３．０ｍｍの鋼製線材で形成することで、約３９０Ｎの荷重を支えることができ、かなり大型の照明カバー（例えば、重さ１０Ｋｇ程度）に対しても、問題なく使用可能である。
【０００９】
第二係止具９は、照明カバー３等に取り付けるための第二係止具本体１８と、その第二係止具本体１８に取り付けたカバー１９を備えている。この第二係止具本体１８は、取り付け用のフランジ部１８ａと、そのフランジ部１８ａから直角方向に延びる直立部分１８ｂを備えている。この直立部分１８ｂは、第一係止具８の開口１２及び一対の係合穴１３、１３に挿入可能な一対の係合突起２０、２０と、その一対の係合突起２０、２０の間に延びる側壁２１を備えており、その側壁２１の内面に、係止爪１５ａを案内するハート形状のカム溝２３が形成されている。このカム溝２３は、一対の係合突起２０、２０の間を通って進入する係止爪１５ａをハート形の一方の側方に案内する入側溝部２３ａと、その入側溝部２３ａからハート形の凹部中央に向かうよう折り返す肩部第一溝部２３ｂと、ハート形の凹部中央の係止用溝部２３ｃと、その係止用溝部２３ｃからハート形の他方の側方に向かう肩部第二溝部２３ｄと、その肩部第二溝部２３ｄの端部からハート形の側方を通ってハート形の先端に向かい、ハート形の先端領域から外に抜けるように開いた出側溝部２３ｅを備えている。入側溝部２３ａは、一方の係合突起２０から肩部第一溝部２３ｂに向かってほぼ直線状に延びる第一案内面２３ａａと他方の係合突起２０からハート形の側方を通って肩部第一溝部２３ｂに向かって延びる第二案内面２３ａｂで画定され、溝幅が入り側で広く、肩部第一溝部２３ｂに向かうにつれて徐々に小さくなっている。そして、このカム溝２３は、ハート形の凹部の係止用溝部２３ｃに第一係止具８の係止爪１５ａを引っかけて係止できるようハート形の凹部を奥に向けて（フランジ部１８側となるように）配置されている。
【００１０】
カム溝２３の底面は、第一係止具８の開口１２に第二係止具９の係合突起２０、２０を挿入させた時に、弾性部材１６によって付勢されている係止ピン１５の係止爪１５ａの先端が常に押し付けられるように、位置が定められている。更に、カム溝２３の底面は、入側溝部２３ａの先端部Ｐから奥に向かうにつれて高くなり、入側溝部２３ａと肩部第一溝部２３ｂの境界には溝部２３ｂが低くなるよう段差が形成され、肩部第一溝部２３ｂは係止用溝部２３ｃに向かうにつれて高くなり、肩部第一溝部２３ｂと係止用溝部２３ｃの境界には係止用溝部２３ｃが低くなるよう段差が形成され、係止用溝部２３ｃにつながる肩部第二溝部２３ｄは出側溝部２３ｅに向かうにつれて高くなり、肩部第二溝部２３ｄと出側溝部２３ｅの境界には出側溝部２３ｅが低くなるよう段差が形成され、出側溝部２３ｅは先端に向かうにつれて高くなり、出側溝部２３ｅと入側溝部２３ａの境界には入側溝部２３ａが低くなるように段差が形成されている。この構成により、第一係止具８と第二係止具９を互いに接近させると、第一係止具８の係止ピン１５先端の係止爪１５ａが、ハート形の先端部Ｐの近傍で入側溝部２３ａの第二案内面２３ａｂで案内され、入側溝部２３ａの奥の方に進入し、その入側溝部２３ａを通って肩部第一溝部２３ｂに入り、その状態で第一係止具８と第二係止具９を少し引き離すと、係止爪１５ａは肩部第一溝部２３ｂと入側溝部２３ａの間に段差があるため入側溝部２３ａに戻ることなく肩部第一溝部２３ｂを通って係止用溝部２３ｃに入る。これにより、第一係止具８と第二係止具９とが係止ピン１５によって互いに係止された状態となる。次に、この状態から第一係止具８と第二係止具９を互いに接近させると、係止用溝部２３ｃ内に位置していた係止爪１５ａが奥の方に移動しようとし、その際、係止用溝部２３ｃと肩部第一溝部２３ｂとの間には段差があるので、肩部第一溝部２３ｂに戻ることはなく、他方の肩部第二溝部２３ｄを通って出側溝部２３ｅに移動する。そして、この後、第一係止具８と第二係止具９を互いに引き離すことにより、係止爪１５ａは肩部第二溝部２３ｄに戻ることなく、出側溝部２３ｅに沿ってハート形の先端部に移動し、カム溝２３から抜け出す。このように、カム溝２３は、溝部２３ａ、２３ｂ間、溝部２３ｂ、２３ｃ間、溝部２３ｄ、２３ｅ間にそれぞれ段差を設けたことにより、ハート形の先端部からカム溝２３内に進入した係止爪１５ａが常に一定方向に進行し、ハート形のカム溝を通り抜けることができる構成となっている。
【００１１】
第二係止具本体１８に形成している一対の係合突起２０、２０は、第一係止具８の開口１２及び一対の係合穴１３、１３に容易に挿入可能なように、先端側が細くなるような形状としている。第二係止具本体１８も、第一係止具本体１１と同様に、アルミ合金等の強度の大きい材料で作られる。
【００１２】
次に、このプッシュロック装置７を設けている照明カバー３の開閉動作を説明する。図５（ｂ）に示すように開いた状態の照明カバー３を閉じるには、照明カバー３を単に押し上げれば良い。この照明カバー３を押し上げることで、第二係止具９が第一係止具８に接近してゆき、図２（ａ）、（ｂ）に示すように、第二係止具９の係合突起２０、２０が第一係止具８の開口１２内に進入し、第一係止具８の係止ピン１５先端の係止爪１５ａが第二係止具９のカム溝２３の入側溝部２３ａで案内され、それに続く肩部第一溝部２３ｂに入る。その後、照明カバー３を少し下げると、第二係止具９が少し下降し、図２（ｃ）、（ｄ）に示すように係止爪１５ａが係止用溝部２３ｃ内に入る。これにより、第二係止具９が第一係止具８に係止ピン１５を介して係止した状態となり、照明カバー３は図５（ａ）に示す閉位置に保持される。次に、照明カバー３を開くときには、照明カバー３を少し押し上げる。これによって、第二係止具９が図２（ｃ）、（ｄ）に示す位置より少し持ち上げられ、係止用溝部２３ｃに入っていた係止爪１５ａが肩部第二溝部２３ｄを通って出側溝部２３ｅに移動する。その後、照明カバー３をゆっくりと下方に開いてゆくと、それにつれて、第二係止具９も下降し、係止爪１５ａは出側溝部２３ｅを通って、その上端からカム溝２３の外に出る。かくして、第二係止具９は第一係止具８から外れ、照明カバー３を下方を大きく開くことができる。このように、照明カバー３を単に押し上げることで、第二係止具９を第一係止具８に係止させることができ、また、その状態から少し押し上げ、その後下方に下ろすことで第二係止具９を第一係止具８から外すことができ、従来のように旋回レバーを手作業で旋回させるといった面倒な操作を行うことなく、照明カバー３を簡単に開閉できる。
【００１３】
【００１４】
【発明の効果】
以上のように、本発明の照明装置に用いているプッシュロック装置は、単に第一係止具に対して第二係止具を押し込んでゆくことで、両者を係止させることができ、また係止状態からは、第一係止具に対して第二係止具を少し押し込み次いで引き離すことで両者の係止状態を解除することができ、きわめて簡単な操作で係止、離脱を行うことができ、このため、重い照明カバーであっても、或いは、脚立等の上に乗って上向きの不安定な姿勢で作業する場合であっても、その照明カバーをきわめて簡単に開閉できる。しかも、使用している可動部品及びばねは、揺動可能な１個の係止ピンとそれを付勢する弾性部材のみであるので、構造が簡単で使用部品点数が少なく、コストダウンを図ることができる等の効果を有している。
【００１５】
更に、前記第一係止具には一対の係合穴を設け、第二係止具にはそれに挿入させる一対の係合突起を設けているので、第一係止具と第二係止具を係止させる際に、両者の位置を正しく合わせることができる。ここで、その係合突起及び係合穴を、先端が細くなる形状としておくと、第一係止具と第二係止具の取り付け位置精度が悪くても、確実に係合突起を係合穴に挿入して位置決めを行うことができ、一層確実に第一係止具と第二係止具の係止を行うことができるといった効果が得られる。
【図面の簡単な説明】
【図１】  第一係止具８と第二係止具９を離した状態で示すもので、（ａ）は第一係止具８は概略断面で、第二係止具９はカバーを取り外した状態で概略正面を示す図、（ｂ）、（ｃ）はそれぞれ（ａ）のＡ−Ａ矢視概略断面図、Ｂ−Ｂ矢視概略断面図
【図２】  （ａ）第一係止具８と第二係止具９を、係止させる途中の状態で且つ第一係止具８は概略断面で、第二係止具９はカバーを取り外した状態で概略正面を示す図  （ｂ）（ａ）のＣ−Ｃ矢視概略断面図
（ｃ）第一係止具８と第二係止具９を、係止状態で且つ第一係止具８は概略断面で、第二係止具９はカバーを取り外した状態で概略正面を示す図
（ｄ）（ｃ）のＤ−Ｄ矢視概略断面図
【図３】  （ａ）、（ｂ）、（ｃ）はそれぞれ第一係止具８の概略正面図、概略端面図、及び概略下面図
【図４】  （ａ）、（ｂ）、（ｃ）はそれぞれ第二係止具９の概略上面図、概略正面図、及び概略端面図
【図５】  （ａ）天井に配置した照明装置を閉じた状態で示す概略側面図
（ｂ）その照明装置を開いた状態で示す概略側面図
【符号の説明】
１  取付枠
２  蛍光灯
３  照明カバー
４  ブラケット
５  支点軸
７  プッシュロック装置
８  第一係止具
９  第二係止具
１１  第一係止具本体
１２  開口
１３  係合穴
１５  係止ピン
１５ａ  係止爪
１８  第二係止具本体
１９  カバー
２０  係合突起
２１  側壁
２３  カム溝
２３ａ  入側溝部
２３ｂ  肩部第一溝部
２３ｃ  係止用溝部
２３ｄ  肩部第二溝部
２３ｅ  出側溝部
【図１】
0003937796.tif 000002
【図２】
0003937796.tif 000003
【図３】
0003937796.tif 000004
【図４】
0003937796.tif 000005
【図５】
0003937796.tif 000006